(57)【要約】  本発明は、コンピュータから制御可能で、電子像を撮影し、スプリッター要素（８）の後方に配置されている撮影ユニット（４）と、固視装置（５）とを備えた、眼鏡（２）のセンタリングデータを検出するための装置（３）に関わる。固視装置（５）は少なくとも１つのスペックルパターンを生成させる。スペックルはたとえば十字形パターン等の種々のパターンと重ね合わせることができる。本発明は、さらに、眼鏡のセンタリングデータを検出するための方法にも関わる。本発明による方法および装置によれば、異なる視力を持った被験者に対し、相対的なセンタリングデータを通常の姿勢で短距離から測定することが可能になる。
2007519040.tif 000002
【特許請求の範囲】
【請求項１】
コンピュータから制御可能で、電子像を撮影し、スプリッター要素（８）の後方に配置されている撮影ユニット（４）と、固視装置（５）とを備えた、眼鏡（２）のセンタリングデータを検出するための装置（３）において、固視装置（５）が少なくとも１つのスペックルパターンを生成させる固視装置であることを特徴とする装置。
【請求項２】
固視装置が少なくとも１つの特定のスペックルパターン、特にリング状スペックルパターン、十字形スペックルパターン、または星形スペックルパターンを生成させる固視装置であることを特徴とする請求項１に記載の装置（３）。
【請求項３】
撮影ユニット（４）がビデオカメラまたは写真カメラとして構成されていることを特徴とする請求項１または２に記載の装置（３）。
【請求項４】
固視装置（５）が光源と散乱要素（１０，２４，２６，２７）とを含み、光源が散乱要素（１０，２４，２６，２７）を介してコヒーレント光線をスペックルパターンとしてスプリッター要素（８）へ放射することを特徴とする上記請求項のいずれか１項に記載の装置（３）。
【請求項５】
光源がレーザーダイオードとしてのレーザーエミッター（９）またはＨｅ−Ｎｅレーザーを含んでいることを特徴とする請求項４に記載の装置（３）。
【請求項６】
スプリッター要素（８）が部分透過性ミラーまたはビームスプリッターキューブとして構成されていることを特徴とする請求項１から５のいずれか１項に記載の装置（３）。
【請求項７】
散乱要素（１０，２４，２６，２７）が動き可能に、特に回転可能に配置されていることを特徴とする請求項３から６のいずれか１項に記載の装置（３）。
【請求項８】
散乱要素（１０，２４，２６，２７）を動かすためのモータ（１１）が設けられていることを特徴とする請求項７に記載の装置（３）。
【請求項９】
スペックルパターンが無限遠に、しかし少なくとも５ｍ以上の距離へ結像されていることを特徴とする上記請求項のいずれか１項に記載の装置（３）。
【請求項１０】
スペックルパターンが散乱要素（１０，２４，２６，２７）とスプリッター要素（８）との間に配置されている照準光学系（７）を介して無限遠に、しかし少なくとも５ｍ以上の距離へ結像されていることを特徴とする請求項９に記載の装置。
【請求項１１】
照準光学系（７）が非球面レンズ面、特に非球面フレスネルレンズ面を備えていることを特徴とする請求項１０に記載の装置（３）。
【請求項１２】
散乱要素（１０，２４，２６，２７）とスプリッター要素（８）との間に、有利には散乱要素（１０，２４，２６，２７）と照準光学系（７）との間に、転向ミラー（１２）が配置されていることを特徴とする請求項４から１１のいずれか１項に記載の装置。
【請求項１３】
少なくとも１つのスペックルパターンを生成させるため、固視装置（５）が少なくとも１つの回折性光学要素（ＤＯＥ）（１５）を含んでいることを特徴とする上記請求項のいずれか１項に記載の装置（３）。
【請求項１４】
少なくとも１つのスペックルパターンを生成させるため、有利には任意の数のスペックルパターンを生成させるため、固視装置（５）が少なくとも１つの空間光変調器（ＳＬＭ）（１６）を含んでいることを特徴とする上記請求項のいずれか１項に記載の装置（３）。
【請求項１５】
少なくとも１つの回折性光学要素（ＤＯＥ）（１５）または少なくとも１つの空間光変調器（ＳＬＭ）（１６）が、十字形パターンまたはリング状パターンまたは十字形パターンとリング状パターンとの組み合わせを生成させるように構成されていることを特徴とする請求項１３または１４に記載の装置。
【請求項１６】
撮影ユニット（４）に付設されるフラッシュ（２３）が光導体（２０）と接続され、光導体（２０）が有利には被測定顧客（１３）の方向へ光を誘導する光導体（２０）であることを特徴とする上記請求項のいずれか１項に記載の装置（３）。
【請求項１７】
散乱要素が散乱円板（１０）、散乱ロール（２４）、散乱板（２６）または散乱カーテン（２７）として構成されていることを特徴とする請求項４から１６のいずれか１項に記載の装置（３）。
【請求項１８】
眼鏡のセンタリングデータを検出する方法において、スペックルパターンを融合感として被験顧客のために生成させ、顧客の少なくとも眼鏡装着眼部分を撮像し、この撮像に基づいて数学的方法により眼鏡のセンタリングデータを特定することを特徴とする方法。
【請求項１９】
請求項１から１７のいずれか１項に記載の装置を使用することを特徴とする請求項１８に記載の方法。
【発明の詳細な説明】
【技術分野】
【０００１】
本発明は、コンピュータから制御可能で、電子像を撮影し、スプリッター要素の後方に配置されている撮影ユニットと、固視装置とを備えた、眼鏡のセンタリングデータを検出するための装置に関するものである。本発明は、さらに、眼鏡のセンタリングデータを検出するための方法にも関わる。
【背景技術】
【０００２】
眼鏡調節器は、すでに解剖学的に調節された眼鏡フレームにおいて光学的センタリングを正確に設定するために用いられる。眼回転点の条件を充足させるために必要な、センタリングポイントからゼロビジュアルポイントまでの鉛直方向の距離は、とりわけフレームの前方傾斜に応じて調整される。したがって、眼鏡調節器は一定の前方傾斜角で作動するか、或いは、頭部と胴部の自然な姿勢で前方傾斜角の測定を行なう。
【０００３】
眼鏡レンズを光学的にセンタリングする場合、眼鏡の鉛直方向と水平方向のセンタリングデータＸR，ＸL，ＹR，ＹLを測定しなければならない。非特許文献１からは、これをビデオ装置を用いて行い、ビデオ装置の前方にほぼ５ｍの距離で被験者を立たせることが知られている。ビデオ画像に基づいてセンタリングデータが特定される。この処置の場合、適当に広いスペースを確保する必要がある。
【０００４】
最適な矯正を行なう前提は、フレームの位置を眼鏡の調節に取り込むことである（解剖学的眼鏡調節）。Carl Zeiss社の装置Video Infralはフレームの位置を３次元で検出し、その結果予め検出した眼鏡レンズ径、眼鏡レンズ重量、最小エッジ厚、最小中心厚等の矯正値を最適な眼鏡レンズに移行させることができる。この場合、２つのビデオカメラを介して前方からの撮影と側方からの撮影とを同時に行い、デジタル化し、接続したコンピュータにファイルする。デジタル画像には瞳孔の位置、角膜頂点距離、フレームの特徴的な輪郭をマーキングすることができる。これらのマーキングからコンピュータは眼鏡装着者が適正に見ることができるような眼鏡レンズの最適パラメータを求める。なお、角膜頂点距離とは一般に眼鏡レンズの像側の頂点と角膜との距離である。
【０００５】
特許文献１には、コンピュータから制御可能で電子画像を撮影する撮影ユニットを備えたビデオ観察システムが開示されている。この種のビデオ観察システムは、新しい眼鏡フレームを選択する際に専門店で顧客にアドバイスするのに用いられる。
【０００６】
さらに、Ulev GmbH社のビデオ装置Visu-Pointが知られている。このビデオ装置では、被験者は短距離から、たとえば１メートルの距離から対象物を固視する。固視対象物はたとえばビデオカメラ上方に配置されるＬＥＤである。ビデオカメラは被験者の像を撮影し、他方被験者は固視対象物を注視する。この場合の欠点は、固視の際に生じる両眼の収斂位置が純粋に幾何学的な収斂から算出されることである。
【０００７】
特許文献２は眼底組織の検査装置を開示している。この場合レーザー光線が使用され、レーザー光線は眼底を通じてスペックルを発生させるものである。
【非特許文献１】Zeiss社のパンフレット  ２０−７５９−ｅ
【特許文献１】欧州特許第０８１２０９８Ｂ１号明細書
【特許文献２】米国特許第５１２９４００Ａ号明細書
【発明の開示】
【発明が解決しようとする課題】
【０００８】
本発明の課題は、視力が異なる個々の被験者に対し、通常の姿勢で、すなわち被験者がリラックスした姿勢で、たとえば起立状態または着座状態で、相対的なセンタリングデータＸR，ＸL，ＹR，ＹL（ボクシングシステムによる：ＸR＝センタリングポイント座標  右側水平；ＸL＝センタリングポイント座標  左側水平；ＹR＝センタリングポイント座標  右側垂直；ＹL＝センタリングポイント座標  左側垂直）を短距離から測定できる、眼鏡のセンタリングデータを検出するための装置を改良することである。
【課題を解決するための手段】
【０００９】
本発明の課題は請求項１に記載の装置により解決される。本発明による、眼鏡のセンタリングデータを検出するための装置では、固視装置は少なくとも１つのスペックルパターンを生成させる固視装置である。
【００１０】
本発明の課題は、さらに請求項１８に記載の方法により解決される。請求項１８は、眼鏡のセンタリングデータを検出するための方法において、スペックルパターンを融合感として被験顧客のために生成させ、顧客の少なくとも眼鏡装着眼部分を撮像し、この撮像に基づいて数学的方法により眼鏡のセンタリングデータを特定する。
【００１１】
センタリングデータを検出するため、通常、顧客は眼鏡フレームを装着し、すなわち眼鏡レンズなしで眼鏡を装着する。フレームのない眼鏡（穿孔用眼鏡、ナイロール眼鏡）の場合には、測定に悪影響を与えない保護円板で作業を行うことができる。
【００１２】
収斂現象は両眼の動き成分と知覚成分とから成る。動きとは筋肉の動きによって生じる収斂成分である。知覚成分とは神経細胞の連鎖により生じる収斂成分である。対象物に起源を発する融合感により対象物が両眼で一重に見え、これを維持するような過程の全体を融合という。この過程はほとんど意識されない（強制融合）。この場合、動き融合と知覚融合とが相互に関連しあう。動き融合は眼の動き筋肉により両眼共同の動きを生じさせ、眼を可能な限り正確に融合対象物に対し指向させる。知覚融合は、わずかに不同である場合も、すなわち互いに緊密な関係にある２つの単眼性の像が両眼で見て正確に網膜の対応位置にない場合でも、神経系内での連鎖過程により両眼で一重に見えさせる。
【００１３】
このように、被験者の眼の実際の収斂位置は必ずしも固視対象物の位置から得られるものではない。通常、動き収斂は幾何学的な観察にしたがって必要とする収斂よりも短い。この差を被験者は知覚収斂によって補償しようとする。したがって、顧客の動き収斂成分または知覚収斂成分によっては必然的にセンタリングデータの大きなばらつきと誤差が生じる。
【００１４】
本発明による装置によれば、すでに眼鏡フレームを解剖学的に調節したうえで光学的センタリングを確定することができる。眼回転点の条件を充足させるために必要な、センタリングポイントからゼロビジュアルポイントまでの鉛直方向の距離は、フレームの前方傾斜に応じて調整される。頭部の前方傾斜角と側方傾斜角は頭部と胴部の自然な姿勢で検出することができる。さらに、被験者の瞳孔間の距離も検出することができる。また、本発明による装置は角膜頂点距離を測定するための角膜頂点距離測定装置を備えていてもよい。角膜頂点距離測定装置はフレーム面に対し垂直な方向においてフレームエッジまたはフレームレンズエッジと角膜前面との距離を測定する。この測定値に、湾曲した眼鏡レンズの頂点深さを加算する必要がある。
【００１５】
最適な矯正を行なう前提は、フレームの位置を眼鏡の調節に取り込むことである。このため、顧客を前方と側方から撮影し、この撮影に基づいて瞳孔の位置、角膜頂点距離、フレームの位置を検出する。このためには顧客の眼鏡フレームの上に湾曲測定具を取り付けるのが有利である。この湾曲測定具はたとえば視差原理にしたがって主要な角度と値の特定を可能にする目盛りを有していてよい。主要な角度と値とはたとえば前方傾斜角、頭部側方傾斜角、頭部側方回転角、角膜頂点距離である。
【００１６】
眼鏡フレームの両眼鏡レンズに対するセンタリングポイントＰRとＰLの相互間隔はセンタリングポイント間隔Ｚといい、右側の単眼センタリングポイント距離と左側の単眼センタリングポイント距離との和である（Ｚ＝ＺR＋ＺL）。センタリングポイント間隔Ｚは矯正眼鏡におけるビジュアルポイント間の相互間隔に相当し、プリズム状眼鏡レンズでない場合には中心間隔に等しい。ＤＩＮ１３６６６によれば、中心間隔とは、処方されたプリズムを中和した場合の、眼鏡の眼鏡レンズの光学的中心間の水平方向における間隔であり、累進屈折力眼鏡レンズの場合、調節点間の間隔である。両センタリングポイントを確定するためにその座標ｘとｙを使用することができる。この場合、眼鏡レンズ間の間隔をｄとすると、水平方向においてＺR＋ＺL＝ＸR＋ＸL＋ｄである。
【００１７】
スペックルパターンは、被験者の非正視性に関係なく常に被験者にとって尖鋭な固視パターンとして見える特性を有している。これは近視眼（近眼）に対してばかりでなく、遠視眼（遠視）に対しても言える。スペックルとはフレーム内に生じる干渉現象である。非正視眼はその遠屈折点面に相当するフレーム面内でスペックルを見る。すなわち、被験者の注意をこのようなパターンに向けさせて、ビデオ撮影の間注意力を維持させることが極めて容易である。
【００１８】
さらに、本発明による装置によれば、被験者のセンタリングデータを近距離から、すなわち２ｍ以下の距離から、有利には１．５ｍ以下の距離から測定することが可能になるが、他方この場合固視対象物は無限遠に、しかし少なくとも５ｍ以上の距離へ結像され、そこで被験者に見える。
【００１９】
顧客の正確な位置決めを行なうため、顧客のために立位マークを床の上に投影させてもよい。
【００２０】
本発明により、センタリングデータを検出している間に被験者の眼が収斂しないことが達成され、すなわち両眼の固視線が内側へ移動しないことが達成される。
【００２１】
本発明の有利な実施態様は従属項で考慮されている。
【００２２】
本発明による装置では、固視装置を、少なくとも１つの特定のスペックルパターンを生成させる固視装置として構成してよい。本発明による装置の使用者は、特定の顧客のために、たとえば強度近視眼の顧客のために、このような顧客層に対し特に適合性が優れるように製造された特定のスペックルパターンを使用することができる。スペックルパターンはたとえばリング状、十字形、または星形に形成されていてよい。これらのスペックルパターンの組み合わせも使用することができる。すなわち、共通の外形として特定の形状（たとえば十字形）を重ね合わせたスペックルを生成させることができる。その結果特定のスペックルパターン、たとえば十字形スペックルパターンが生じる。
【００２３】
本発明による装置では、撮影装置はビデオカメラまたは写真カメラとして構成されていてよい。
【００２４】
固視装置は、散乱要素を介してコヒーレント光線をスペックルパターンとしてスプリッター要素へ放射する光源を含んでいてよい。光源はレーザーエミッターでよい。好ましくはレーザーダイオードまたはＨｅ−Ｎｅレーザーである。スプリッター要素は部分透過性ミラー、平行平面板、またはビームスプリッターキューブとして構成されていてよい。すなわち光源はコヒーレント光線を放射し、コヒーレント光線はすでに特定のパターン（たとえばＤＯＥによって生じる十字形）を有することができる。光線は散乱要素に入射し、そこからスペックルパターンとしてスプリッター要素へ放射される。
【００２５】
本発明による装置は動き可能な、特に回転可能な散乱要素を備えていてよい。散乱要素はモータによって動かすことができる。散乱要素はたとえば０．５回転／分ないし５回転／分で、有利には１回転／分ないし２回転／分で回転させることができる。この場合、被験者に対し動きの生理学的刺激を生じさせるには最小回転速度が必要である。
【００２６】
さらに、本発明による装置の有利な実施態様では、スペックルパターンは無限遠に、しかし少なくとも５ｍ以上の距離へ結像される。この場合、スペックルパターンは散乱要素とスプリッター要素との間に配置されている照準光学系を介して無限遠に、しかし少なくとも５ｍ以上の距離へ結像される。
【００２７】
照準光学系は通常の非球面レンズ面により実施してよい。球面収差の影響を少なくするには、ほどよい口径比が得られるようにレンズの焦点距離を適宜大きく選定する必要があり、たとえばｆ’＝８００ｍｍないし１２００ｍｍ、有利には１０００ｍｍである。照準光学系は非球面レンズ面、特に非球面フレスネルレンズ面を備えていてよい。これにより、焦点距離が小さなレンズ（たとえばｆ’＝３００ｍｍ）を使用しても球面収差の補正を行うことができる。また、非球面フレスネルレンズ面を使用すると、レンズホールダの機械的コストが著しく低減する。球面フレスネルレンズ面を使用する場合には、少なくとも５００ｍｍの焦点距離を使用するのが有利である。
【００２８】
装置の出力アパーチャーは可能な限り多数の被験者の両眼間隔と瞳孔径との和に整合している必要があり、したがって少なくとも６０ｍｍ、有利には９０ｍｍ以上必要である。出力アパーチャーは無限遠投影光学系により与えられている。出力アパーチャーが十分大きければ、被験者の両眼はスペックルパターンを識別することができる。
【００２９】
本発明による装置の有利な実施態様では、散乱要素とスプリッター要素との間に、有利には散乱要素と照準光学系との間に、転向ミラーが配置されている。光学的構成を折り重ねることにより、すなわち光線を転向させることにより、装置のサイズを著しく短縮させることができる。
【００３０】
有利には、撮影装置がオートフォーカス方式を備えているのがよく、その結果撮影された画像は常に鮮鋭である。また、使用するカメラのズーム（画角）をＰＣから制御できるので有利である。
【００３１】
撮像装置の配置が個々の被験者にとって高すぎる場合、または低すぎる場合には、撮像装置を上下に移動させることができる。選択的に、撮像装置を傾動させることもできる。この場合、体格の補償に必要な傾斜角は前方傾斜またはセンタリング値を算出する際に考慮することができる。
【００３２】
さらに、有利には、固視装置が少なくとも１つの回折性光学要素（ＤＯＥ）または波面変調器、すなわち空間光変調器（ＳＬＭ）を含んでいるのがよい。ＳＬＭを用いると、可変ＤＯＥを生成させることができる。ＳＬＭは反射性構成と透過性構成で使用できる。選択的に、複数個のＤＯＥを順次または同時に使用してもよい。ＳＬＭまたはＤＯＥはたとえば十字形またはリング状のパターン或いは十字形パターンとリング状パターンとの組み合わせを生成させるように構成される。
【００３３】
有利には、撮影ユニットに付設されるフラッシュを光導体と接続するのがよい。この場合、光導体が被測定顧客の方向へ光を誘導する光導体であるのが有利である。
【００３４】
レーザーおよびＤＯＥまたはＳＬＭを用いて散乱要素上に生成させたスペックルパターンを、視力が異なる個々の顧客が鮮鋭なパターンとして知覚することができる。特定のＤＯＥまたはＳＬＭ、散乱要素、レーザーを使用することによって、特定の構成の、反復可能なスペックルパターンを生成させることができる。
【００３５】
最後に、散乱要素を散乱円板または散乱ロールとして構成してよい。散乱要素に対する他の幾何学的形状も考えられる。すなわち、散乱要素を、横方向に往復動可能な散乱板として、またはコンベアベルトのような散乱カーテンとして構成してもよい。散乱要素はプラスチック、ガラス、金属、または他の適当な材料から製造されていてよい。散乱表面はたとえばサンドブラストで表面処理されていてよい。平均粗さは５μｒｍｓと５０μｒｍｓの間であるのが有利である。
【００３６】
本発明による方法では、本発明による装置の実施態様を適用するのが有利である。
【００３７】
本発明による方法と本発明による装置によれば、異なる視力を持った被験者に対し、そのセンタリングデータを通常の姿勢で短距離から測定することが可能になる。
【発明を実施するための最良の形態】
【００３８】
本発明による装置および本発明による方法の有利な実施形態は図１ないし図９に図示されている。
【００３９】
図１には、眼鏡フレーム２を装着した被験者の頭部１が概略的に図示されている。被験者は、そのセンタリングデータを決定するため、１．５ｍ以下の距離、たとえば０．５ｍの距離にある本発明による装置３の実施形態を見ている。装置３も同様に概略的に示したもので、ビデオ装置４の形態の撮影装置と固視装置５とを含んでいる。固視装置５は固視ターゲット６と照準光学系７とスプリッター要素８とを含んでいる。固視ターゲット６は、コヒーレント光が特定の粗さの散乱要素（図示せず）、たとえば散乱円板に放射されることにより、スペックルパターンを生じさせる。スプリッター要素８は部分透過性のミラーとして構成されている。照準光学系７は１個または複数個のレンズを含んでもよい。
【００４０】
図２では、固視ターゲット６の代わりにレーザーエミッター９が設けられている。レーザーエミッター９は光線を散乱円板１０の形態の散乱要素に向けて放射させる。スプリッター要素８は板状の部分透過性ミラーとして構成されている。スプリッター要素８により、固視光路の光線と観察光路の光線とを正確に重ね合わせることができる。固視データを検出するため、被験者はビデオ装置４の方向を見る。特に非正視がひどい被験者でも正確な方向を見ることができるように、レーザーエミッター９は散乱円板１０で散乱してスペックルパターンを生じさせるようなレーザー光線を発生させる。スペックルパターンは、照準光学系７とビデオ装置４の前方に配置されているスプリッター要素８とを介して被験者の視野のなかへ誘導される。散乱円板１０は該散乱円板１０に回転動きまたは他の動きを与えるモータ１１を選択的に備えていてもよい。被験者の非正視性に応じて個々のスペックルの合成速度が生じる。スペックルが常に鮮鋭に見えることにより、非正視性がひどい被験者でもスペックルパターンを固視することができ、したがってビデオ撮影に対し正確な位置を占めることができる。
【００４１】
図３は図２の装置を拡張して転向ミラー１２を設けたものである。レーザーから散乱円板１０へ放射された光はまず転向ミラー１２に入射し、次にようやく照準光学系７に入射する。光線の方向を変えることにより装置を著しく小型にさせることができる。これによりこの種の装置を小空間に設置することが可能になる。
【００４２】
図４、図５、図６は被測定者、たとえば眼鏡業者の顧客に特に優れた融合感を与える本発明による装置の実施形態の概略図である。
【００４３】
図４では、本発明による装置３はレーザーダイオード１４を有している。レーザーダイオード１４は出力を調整可能で、６１０ｎｍと６８０ｎｍの間の狭帯域の光線を放射するものが望ましい。
【００４４】
レーザーダイオード１４の前方には回折性光学要素（ＤＯＥ）１５が配置されている。回折性光学要素１５はレーザーダイオード１４のレーザー光線２２を変調させて、時間的コヒーレンスが維持されるように成すとともに、散乱円板１０上に所望の融合能のあるパターン、たとえば顧客に融合感を与えるような十字形スペックルパターンを生じさせる。
【００４５】
変調されて散乱円板上に投影されたいかなるアングルスペクトルも被験者である顧客に十分な融合感を呼び起こす。散乱円板上に投影された円形のアングルスペクトルは弱い融合感のみを生じさせ、これに対し円形リングまたは楕円リングまたは十字またはマルチビームの星形またはこれらの図案の重ね合わせは顧客に明白な融合感を呼び起こさせることができる。
【００４６】
ＤＯＥは図４と図６に図示され、ＳＬＭは図５に図示されている。ＤＯＥまたはＳＬＭによって投影されたアングルスペクトルが、最も鮮鋭に見える領域でのみ知覚されるように構成されていることが望ましい。すなわち最大５゜のアングルスペクトルが有利である。０゜で表わされる網膜窩の中央で相対視力は最大になる。これにより顧客の眼の網膜錘状体が刺激され、網膜の棹状体は保護される。
【００４７】
散乱要素、たとえば散乱円板１０は、好ましくは空間周波数の連続体を提供するように構成されている。有利には０．０５゜ないし５゜の散乱角を発生させるのがよい。モータ１１を用いて散乱要素を回転させることができ、たとえば０．５回転／分ないし５回転／分、有利には１回転／分ないし２回転／分で回転させることができる。
【００４８】
レーザー光線は円板からミラー１７とレンズ１８（フレスネルレンズが望ましい）を介してスプリッター要素８へ放射され、保護要素１９を通過して、眼鏡フレーム２を装着した顧客１３の眼に入射する。保護要素は保護円板の実施形態を持っているのが望ましく、ガラスから成っているのが有利である。フレスネルレンズ１８の像側の焦点面は散乱円板１０の面内にある。
【００４９】
レーザー光線によりこのようにして発生させたスペックルパターンにより、眼鏡をかけた顧客１３は装置３を直接見て、見えた複数の像を自然に融合させることができるようになる。したがって、顧客データの決定を迅速且つ正確に行うことができる。撮影装置４（たとえばビデオ装置または写真カメラ）を用いて顧客１３の顔或いは少なくとも眼鏡をかけた顧客１３の眼部分が撮影される。
【００５０】
ビデオ装置４に配置されているフラッシュ２３は光導体２０と接続されている。この光導体２０はフラッシュ２３から保護円板１９へ延び、よってフラッシュ光の利用率の改善を可能にしている。
【００５１】
本発明による装置３には制御・評価装置２１が組み込まれている。内部の電気消費装置のための給電部を設けてもよい。
【００５２】
ＤＯＥ１５と散乱円板１０とにより、レーザー光線はたとえば十字形の外側輪郭を有するスペックルパターンを発生させることができる。
【００５３】
ＤＯＥ１５により散乱円板１０に記述されるパターンにより、散乱円板は明白な融合感を呼び起こさせるようなスペックパターンを発生させる。散乱円板１０に記述されるパターン形状とこれによって発生するスペックルパターンとは融合感の強さにとって重要である。軽い融合感は、ガウス状のプロファイルを持った点状のパターンを散乱円板上に発生させることで得られる。強い融合感のためには、十字形パターン、リング状パターン、またはこれら両パターンの組み合わせが適している。この場合被験者の目に最大で５゜の角度範囲が与えられる。０゜は網膜窩の中央を表わし、相対視力が最大になる場所である。
【００５４】
図５では、波面変調器、すなわち空間光変調器（Spatial Light Modulator SLM）１６が設けられている。ＳＬＭ１６は可変ＤＯＥ１５を生成させることができる。ＳＬＭ１６は反射型でも透過型でもよい。図５には反射型のＳＬＭ１６が図示されている。図４において簡単なＤＯＥ１５の代わりに透過型のＳＬＭ１６を使用してもよい。
【００５５】
ＳＬＭ１６を用いると、種々のスペックルパターンを生成させることが可能である。このため、ＳＬＭ１６により所望の速度とシーケンスで種々の形状のＤＯＥ１５を形成させる。これによりレーザー光線を用いて所定の種々のパターン、たとえば十字形を生成させることができる。パターンは散乱円板１０へ投影され、そこで散乱円板１０によりスペックルパターンが生成される。これにより広範囲の顧客層の瞳孔間隔を測定することができる。従来は、通常の簡単な点状パターンを用いて比較的大きなプリズマティックエラーを持つ顧客を測定することはできなかった。特殊なパターンを用いてこのような顧客層に対しても最適な融合感が提供される。
【００５６】
種々のパターンを生成させる必要があり、しかもＳＬＭ１６を使用できない場合には、異なるパターンを生成させる複数個のＤＯＥ１５を選択的に使用してよい。これらのＤＯＥ１５はたとえばスライダを介して順次光路内へ挿入させることができる。
【００５７】
本発明による装置によれば、ＤＯＥ１５によって変調されたビームプロファイルは、眼鏡フレームを装着した被験者の両眼によって完全に検知できる。
【００５８】
図６では、本発明による装置３は、散乱円板の代わりに装着された散乱ロール２４を有している。散乱ロール２４は散乱表面２５を備えた回転ドラムとして構成されている。この散乱ロールは垂直方向または水平方向に取り付けることができ、被験者の両眼によって形成される軸線に対しほぼ４５゜±５゜で取り付けることが有利である。散乱ロールはモータ１１によって駆動させることができる。モータはたとえば前記ドラムの軸線上に据え付けるか、或いは、前記軸線の領域に配置してよい。この場合、融合感を生じさせるパターンはたとえばドラム軸線に対しほぼ４５゜で投影され、或いは、ドラム軸線に対し平行に投影される。十字形のスペックルパターンを生成させる場合には、十字の半軸がドラム軸線に対し平行に結像されているのが有利である。
【００５９】
図７は散乱表面２５を備えた散乱板２６を示す。散乱板２６はガラスまたはプラスチックで製造されてもよい。また、散乱板２６は横方向に往復動可能に実装されてもよい。これを２つの矢印で示唆した。
【００６０】
図８は散乱表面２５を備えた散乱カーテン２７を示す。散乱カーテン２７はたとえば金属から製造されてもよい。散乱カーテン２７は２つの回転ドラム２８を介して回転可能に配置されている。この場合の回転方向を矢印で例示した。
【００６１】
図９は十字形スペックルパターン２９の概略図である。十字形パターン３１とともにいくつかのスペックル３０が例示してある。この概略図では、わかりやすくするため、十字形を黒の輪郭で描いた。
【図面の簡単な説明】
【００６２】
【図１】固視ターゲットを備えた、眼鏡のセンタリングデータを特定するための装置を示す図である。
【図２】回転可能な散乱円板および照準光学系を備えた、眼鏡のセンタリングデータを特定するための装置を示す図である。
【図３】補助的な転向ミラーを備えた、図２の眼鏡のセンタリングデータを特定するための装置を示す図である。
【図４】散乱円板とＤＯＥとを備えた、センタリングデータを特定するための装置を示す図である。
【図５】散乱円板とＳＬＭとを備えた、センタリングデータを特定するための装置を示す図である。
【図６】散乱ロールとＤＯＥとを備えた、センタリングデータを特定するための装置を示す図である。
【図７】散乱板を示す図である。
【図８】散乱カーテンを示す図である。
【図９】十字形スペックルパターンを示す図である。
【符号の説明】
【００６３】
１  頭部、２  眼鏡、３  装置、４  ビデオ装置／撮影装置、５  固視装置、６  固視ターゲット、７  照準光学系、８  スプリッター要素／部分透過性ミラー、９  レーザーエミッター、１０  散乱円板、１１  モータ、１２  転向ミラー、１３  眼鏡を装着した被験者／顧客、１４  レーザーダイオード、１５  回折性光学要素（ＤＯＥ）、１６  空間光変調器（ＳＬＭ）、１７  ミラー、１８  （フレスネル）レンズ、１９  保護要素／保護円板、２０  光導体、２１  制御・評価装置、２２  レーザー光線、２３  フラッシュ、２４  散乱ロール、２５  表面、２６  散乱板、２７  散乱カーテン、２８  回転ドラム
【図１】
2007519040.tif 000003
【図２】
2007519040.tif 000004
【図３】
2007519040.tif 000005
【図４】
2007519040.tif 000006
【図５】
2007519040.tif 000007
【図６】
2007519040.tif 000008
【図７】
2007519040.tif 000009
【図８】
2007519040.tif 000010
【図９】
2007519040.tif 000011
【国際調査報告】
2007519040.tif 000012
2007519040.tif 000013
2007519040.tif 000014
2007519040.tif 000015
2007519040.tif 000016
2007519040.tif 000017